(57)【特許請求の範囲】
【請求項１】
建物の開口に設けられるシャッターであって、左右の縦枠と、該縦枠の上方に設けられシャッター板を巻取り収納するシャッターボックスと、前記縦枠の室外側に設けられシャッター板の側部を案内するガイドレールと、前記シャッター板を閉鎖位置に固定する錠機構とを備え、前記錠機構は施錠操作によりシャッター板の側部から側方へ突出する錠バー部材を有し、前記ガイドレールは奥部に仕切壁を介して中空部を有し、前記錠機構の施錠時に側方へ突出する錠バー部材を前記中空部に挿入して係止するために、前記仕切壁に縦長の開口部を設けると共に、該開口部に係止孔が設けられた裏板を取付けたことを特徴とするシャッター。
【発明の詳細な説明】
【０００１】
【発明の属する技術分野】
本発明は、シャッターに係り、特に錠バー部材の係止受部の構造を改良して防犯性の向上を図ったシャッターに関する。
【０００２】
【従来の技術】
建物の開口に設けられるシャッターにおいては、左右の縦枠と、これら縦枠の上方に設けられシャッター板（シャッターカーテンともいう）を巻取り収納するシャッターボックスと、前記縦枠の室外側に設けられシャッター板の側部を案内するガイドレールと、前記シャッター板を閉鎖位置に固定する錠機構とを備えて構成されている。
【０００３】
前記錠機構は施錠操作により側方へ突出する錠バー部材を有しており、前記ガイドレールの奥部には前記錠バー部材を係止するためのラッチ受けが設けられていた。
【０００４】
【発明が解決しようとする課題】
しかしながら、前記シャッターにおいては、防犯性を考えた場合、ガイドレールの奥部に設けられているラッチ受けがガイドレールを外部からドライバー等でこじ開ける（ガイド溝の側片を無理矢理室外側に開き曲げる）と露出してしまうため、ラッチ受けに対する錠バー部材の係止状態を不正に解除（解錠）される恐れがあり、防犯性の点で十分とはいえなかった。
【０００５】
本発明は、前記事情を考慮してなされたもので、錠バー部材の係止状態を不正に解除され難くして防犯性の向上を図ったシャッターを提供することを目的とする。
【０００６】
【課題を解決するための手段】
本発明は、物の開口に設けられるシャッターであって、左右の縦枠と、該縦枠の上方に設けられシャッター板を巻取り収納するシャッターボックスと、前記縦枠の室外側に設けられシャッター板の側部を案内するガイドレールと、前記シャッター板を閉鎖位置に固定する錠機構とを備え、前記錠機構は施錠操作によりシャッター板の側部から側方へ突出する錠バー部材を有し、前記ガイドレールは奥部に仕切壁を介して中空部を有し、前記錠機構の施錠時に側方へ突出する錠バー部材を前記中空部に挿入して係止するために、前記仕切壁に縦長の開口部を設けると共に、該開口部に係止孔が設けられた裏板を取付けたことを特徴とする。
【０００７】
【発明の実施の形態】
以下に、本発明の実施の形態を添付図面に基いて詳述する。図１は本発明の実施の形態を示すシャッターの概略的斜視図、図２は同シャッターの縦断面図、図３は同シャッターの横断面図、図４は土間仕上げ調整部品を示す図で、（ａ）は斜視図、（ｂ）は平面図、図５は縦枠を示す図で、（ａ）は平面図、（ｂ）は内側面図である。
【０００８】
これらの図において、１は店舗等に使用される土間用のシャッターで、建物の躯体２の開口３に設けたサッシ４の室外側に一体または別体で設けられる（図示例は一体の場合を示している。）。このシャッター１は、シャッター枠を構成する左右の縦枠５，５と、該縦枠５，５の上方に設けられシャッター板６を巻取り収納するシャッターボックス７と、前記縦枠５の室外側に着脱自在に設けられシャッター板６の側部を案内するガイドレール８とを備えている。
【０００９】
前記サッシ４は、例えばアルミ押出形材からなる上枠９ａ、下枠９ｂおよび左右の縦枠６ｃ，９ｃからなるサッシ枠９内に内外の障子１０ａ，１０ｂを引違い状に開閉自在に取付けた引違いサッシからなっている。本実施の形態の図示例では、図２に示すように、サッシ枠９の縦枠９ｃとシャッター枠の縦枠５とが一体になっているが、別体になっていても良い。
【００１０】
なお、前記シャッター枠は、例えばアルミ押出形材からなる左右の縦枠５，５と、両縦枠５，５の上端部間に掛け渡されて組付けられる上枠（シャッター上枠）１１とを備え、両縦枠５，５の中間部間にはサッシ４の上枠９ａが一体化された中間枠（シャッター中間枠）１２が掛け渡されて組付けられていると共に、両縦枠５，５の下端部間にサッシ４の下枠９ｂが掛け渡されて組付けられている。
【００１１】
前記シャッターボックス７は、シャッター枠における上枠１１と中間枠１２の間に設けられている。シャッターボックス７内には、シャッター板６を巻き上げ巻き下げする巻取ドラム１３が設けられている。シャッタ板６は、水平に細長い金属板からなるスラットを縦方向に鎧状につないでなり、シャッター板６の先端部（下端部）にはエンドスラット６ａが設けられ、高さ方向略中間のスラット６ｂにはシャッター板６を閉鎖位置に固定するための後述の錠機構１４が設けられている。前記スラット６ａ，６ｂは、強度上例えばアルミ押出形材からなる幅木からなっていることが好ましく、スラット６ｂの裏側（室内側）に錠機構１４が設けられている。なお、シャッター１は、手動式でも、電動式でも良い。
【００１２】
縦枠５は、図３ないし図５に示すように中空部１６ａ，１６ｂを有するホロー構造とされており、その室外端には外側面の延長上に断面Ｌ字状の係合受部１７が形成されていると共に内側にリブ受部１８が形成されている。ガイドレール８は、例えばアルミ押出形材からなり、内側に開口した断面コ字状のガイド溝８ａを有していると共にこのガイド溝８ａに隣接して中空部８ｂを有するホロー構造とされている。換言すれば、ガイドレール８はガイド溝８ａの奥部に仕切壁８ｃを介して中空部８ｂを有している。このガイドレール８の室内端には、外側面の延長上に前記縦枠５の係合受部１７に係合される断面略コ字状の係合部１９が形成されていると共に、前記縦枠５のリブ受部１８に当接されて固着具例えばネジ２０で固定されるリブ２１が形成されている。
【００１３】
前記ガイドレール８は、予め工場で所定の高さ寸法に切断加工されている。縦枠５に対するガイドレール８の取付時にガイドレール８が下方へズレ落ちないように縦枠５の下端から所定高さｈａの位置にガイドレール８の下端を位置決め係止するために、図５に示すように縦枠５の断面Ｌ字状の係合受部１７にはガイドレール８の係合部１９下端を係止する係止部２２が曲げ加工により設けられており、縦枠５に対してガイドレール８を一人作業でも容易に且つ正確に取付けることができるようになっている。
【００１４】
ガイドレール８の現場加工を不要にして施工性の向上を図ると共に、土間仕上げ後のガイドレール８の脱着を可能にしてメンテナンス性の向上を図るために、前記ガイドレール８の下端部には、土間仕上げ用コンクリートまたはモルタル２３にその一部が埋設される土間仕上げ調整部品２４が着脱自在に設けられている。この土間仕上げ調整部品２４は、例えば合成樹脂により形成されている。
【００１５】
土間仕上げ調整部品２４は、図１〜図３，図４に示すように、下端から所定の高さの位置ｈｂに水平に形成されガイドレール８の下端面を当接させる当接面部（上面部）２５と、該当接面２５から下方に向ってガイドレール８のガイド溝８ａと略同じ断面でガイド溝８と連続するように形成された補助ガイド溝部２６と、ガイドレール８の下側の正面部および外側面部を覆うと共にこれらの位置を規制すべく断面Ｌ字状で上方に立上がった立上り部２７とを有している。
【００１６】
前記補助ガイド溝部２６の下端は、土間仕上げ調整部品２４の下端まで達していても良いが、図示例のように土間仕上げ調整部品２４の下端から所定の高さｈｃ位置とされていることが好ましい。前記当接面部２５には、ガイド溝８ａの中空部８ｂに嵌挿される位置決め突部２８が突設されている。土間仕上げ調整部品２４は、ガイドレール８の下端部に固着具例えばネジ２９で着脱自在に固定されている。前記立上り部２７の正面側には、ネジ２９を挿通する挿通穴（孔部）３０が設けられており、この挿通穴３０からガイドレール８の下端正面部にネジ２９がねじ込まれるようになっている。
【００１７】
土間仕上げ調整部品２４は、現場でガイドレール８の下端部に取付けても良いが、予め工場でガイドレール８の下端部に取付けられていることが、現場での施工を簡略化ないし省略化する上で好ましい。躯体２へのシャッター１の取付け後に土間（地面）Ｇには、コンクリートまたはモルタル２３が打設されて土間仕上げが施される。この場合、縦枠（サッシの縦枠を含む）５の下端部およびサッシ４の下枠９ｂの下部と共に土間仕上げ調整部品２４の下部がコンクリートまたはモルタル２３中に埋め込まれる。土間仕上げ調整部品２４があることにより、ガイドレール８の下端部はコンクリートまたはモルタル２３中に埋め込まれることはなく、施工後にネジ２９を緩める（取外す）ことにより縦枠５および土間仕上げ調整部品２４からガイドレール８を取外すことが可能（脱着可能）となり、メンテナンスが可能となる。
【００１８】
土間仕上げ調整部品２４には、土間仕上げの上限３１を示す上限ライン３２および下限３３を示す下限ライン３４が表示されていることが好ましい。土間仕上げの上限３１はサッシ４の下枠９ｂの略上面位置とされ、土間仕上げの下限３３は土間仕上げ調整部品２４の補助ガイド溝部２６の下端位置とされている。土間仕上げの下限３３が補助ガイド溝部２６の下端位置よりも下方にあると、閉鎖状態のシャッター板６の下端と土間仕上げ面１５との間に隙間が発生してしまうからである。なお、図２の点線は土間仕上げ面１５の標準位置を示している。土間仕上げ調整部品２４の下端部にはコンクリートまたはモルタル２３内からの引き抜けを防止するための抵抗となる鍔部２４ａが設けられていることが好ましい。
【００１９】
図６は錠機構を概略的に示す図で、（ａ）は施錠時の状態図、（ｂ）は解錠時の状態図、図７はガイドレールにおける錠バー部材の係止孔を示す部分的切断斜視図、図８はガイドレールにおける錠バー部材の係止孔を示す図で、（ａ）は横断面図、（ｂ）は縦断面図である。前記錠機構１４は、室内外方向の厚さが薄く横長で左右両端が開口したケーシング４０を有し、このケーシング４０内には室外側から鍵を挿入して回転操作する鍵穴４１を有する操作歯車（第１の歯車）４２と、この操作歯車４２に噛合して左右方向に移動操作される第１のラック４３ａを有する操作バー部材４３と、その第１のラック４３ａに噛合して回転操作される伝達歯車（第２の歯車）４４と、この伝達歯車４４と同軸上に一体的に設けられた作動歯車（第３の歯車）４５と、この作動歯車４５の上部と下部に噛合して左右方向に対称的に移動操作される第２のラック４６ａを有する２本の作動バー部材４６，４６とが設けられている。
【００２０】
前記操作バー部材４３の一端にはこれを室内側から手動操作するための操作摘み４３ｂが設けられている。操作バー部材４３の他端とケーシング４０との間には操作バー部材４３をストロークエンドに付勢するためのバネ４７が設けられている。前記作動歯車４５は、操作摘み４３ａの操作ストロークＳａと作動バー部材４６の作動ストロークＳｂに差を持たせるために、図示例では伝達歯車４４の歯数よりも少ない歯数例えば４つの歯を有するものからなっているが、これに限定されるものではない。各作動バー部材４６の一端には錠バー部材４８が連結されており、前記錠機構１４は鍵の操作もしくは操作摘み４３ｂの操作により錠バー部材４８がシャッター板６の両側部（スラット６ｂの両端部）から側方に突出し（施錠時）あるいは引っ込む（解錠時）ように構成されている。
【００２１】
ガイドレール８の仕切壁８ｃには、前記錠機構１４の施錠時に側方へ突出する錠バー部材４８を前記中空部８ｂに挿入して係止するための係止孔４９が設けられている。この場合、係止孔４９は土間仕上げ面１５に応じて変化する錠バー部材４８の高さ位置に対応し得るように高さ方向に所定ピッチで複数例えば図示例では３つ設けられていることが好ましい。この場合、係止孔４９の加工性を考慮して、仕切壁８ｃには複数の係止孔４９を包含する縦長の１つの開口部５０を設け、仕切壁８ｃの裏側にはその開口部５０に臨んで開口する複数例えば３つの係止孔４９を設けた裏板５１を取付けることが好ましい。ガイドレール８の内側面には裏板５１を仕切壁８ｃの裏面に位置するように中空部８ｂに挿入する挿入口５２が設けられ、裏板５１の一側部にはガイドレール８の内側面に当接されて室内側から固着具例えばネジもしくはリベット５３で取付固定される取付片５１ａが直角に形成されている。
【００２２】
次に、以上の構成からなるシャッター１の取付け施工方法および作用について説明する。先ず、シャッター枠、サッシ４の下枠９ｂおよびシャッターボックス７の組付けを行い、これを躯体２に取付固定する。次に、シャッター枠の縦枠５にガイドレール８を取付ける。ガイドレール８には、予め工場または現場で土間仕上げ調整部品２４が取付けられている。
【００２３】
次に、土間にコンクリートまたはモルタル２３を打設し、コンクリートまたはモルタル２３中に縦枠５の下端部、サッシ４の下枠９ｂの下部および土間仕上げ調整部品２４の下部を埋め込み、土間仕上げを行えば良く、これによりシャッター１および土間仕上げの施工が完了する。施工後は、ネジ２９を緩めることにより縦枠５および土間仕上げ調整部品２４からガイドレール８を取外すことが可能（脱着可能）となり、ガイドレール８やシャッター板６等のメンテナンスを容易に行うことができる。
【００２４】
以上の構成からなるシャッター１によれば、建物の開口３に設けたサッシ４の室外側に一体または別体で設けられ設けられるシャッターであって、左右の縦枠５，５と、該縦枠５，５の上方に設けられシャッター板６を巻取り収納するシャッターボックス７と、前記縦枠５，５の室外側に着脱自在に設けられシャッター板６の側部を案内するガイドレール８，８とを備え、前記ガイドレール８の下端部に土間仕上げ用コンクリートまたはモルタル２３に埋設される土間仕上げ調整部品２４を着脱自在に設けているため、土間仕上げ後にもガイドレール８の脱着が可能で施工後のメンテナンスが可能となると共に、ガイドレール８の現場加工が不要になり施工性の向上が図れる。
【００２５】
また、縦枠５には、ガイドレール８の取付時にガイドレール８が下方へズレ落ちないように縦枠５の下端から所定高さｈｃの位置にガイドレール８の下端を位置決め係止するための係止部２２が設けられているため、縦枠５に対してガイドレール８を一人作業でも容易に且つ正確に取付けることが可能となり、施工性の向上が図れる。
【００２６】
特に、前記シャッター１によれば、前記シャッター板６を閉鎖位置に固定する錠機構１４を備え、前記錠機構１４は施錠操作によりシャッター板６の側部から側方へ突出する錠バー部材４８を有し、前記ガイドレール８は奥部に仕切壁８ｃを介して中空部８ｂを有し、その仕切壁８ｃに前記錠機構１４の施錠時に側方へ突出する錠バー部材４８を前記中空部８ｂに挿入して係止するための係止孔４９を設けているため、たとえガイドレール８がドライバー等で外部からこじ開けられ（ガイド溝８ａの側片を無理矢理室外側に開き曲げられ）たとしても錠バー部材４８の先端部が係止孔４９から中空部８ｂ内に挿入されていて露出することがない。従って、ドライバー等で錠バー部材４８の先端部を中空部８ｂ内から中空部８ｂ外に（離脱方向へ）押出すことができず（離脱させることができず）、係止孔４９に対する錠バー部材４８の係止状態を不正に解除ないし解錠され難いため、防犯性を十分に確保することができる。
【００２７】
また、前記係止孔４９は土間仕上げ面１５に応じて変化する錠バー部材の高さ位置に対応し得るように高さ方向に所定ピッチで複数例えば図示例では３つ設けられているため、シャッター板６が閉鎖位置で施錠されるように施錠位置を容易に調整することができ、施工性の向上が図れる。また、係止孔４９の加工性を考慮して、仕切壁８ｃには複数の係止孔４９を包含する縦長の１つの開口部５０を設け、仕切壁８ｃの裏側にはその開口部５０に臨んで開口する複数例えば３つの係止孔４９を設けた裏板５１を取付けているため、加工性の向上が図れる。また、前記裏板５１の取付位置を調整することにより、施錠位置の微調整が容易にできる。この場合、裏板５１を高さ方向（上下方向に）に微調整し得るように取付片に形成されている固着具挿通孔（ネジ孔）を長穴にすることが好ましい。
【００２８】
以上、本発明の実施の形態を図面により詳述してきたが、本発明は前記実施の形態に限定されるものではなく、本発明の要旨を逸脱しない範囲での種々の設計変更等が可能である。例えば、シャッターは、サッシとは別体で設けられていても良い。また、シャッターは、土間用に限定されず、窓サッシの室外側に設けられるものであっても良い。本発明が適用されるシャッターは、必ずしもサッシを必要とするものではなく、シャッターが設けられる建物の開口にはサッシが設けられていなくても良い。
【００２９】
【発明の効果】
以上要するに本発明によれば、物の開口に設けられるシャッターであって、左右の縦枠と、該縦枠の上方に設けられシャッター板を巻取り収納するシャッターボックスと、前記縦枠の室外側に設けられシャッター板の側部を案内するガイドレールと、前記シャッター板を閉鎖位置に固定する錠機構とを備え、前記錠機構は施錠操作によりシャッター板の側部から側方へ突出する錠バー部材を有し、前記ガイドレールは奥部に仕切壁を介して中空部を有し、前記錠機構の施錠時に側方へ突出する錠バー部材を前記中空部に挿入して係止するために、前記仕切壁に縦長の開口部を設けると共に、該開口部に係止孔が設けられた裏板を取付けたので、たといガイドレールがドライバー等で外部からこじ開けられたとしても錠バー部材の先端部が係止孔から中空部に挿入されていて露出しないため、錠バー部材の係止状態を不正に解除され難く、防犯性の向上が図れると共に、シャッター板が閉鎖位置で施錠されるように施錠位置を容易に調整することができる。
【図面の簡単な説明】
【図１】本発明の実施の形態を示すシャッターの概略的斜視図である。
【図２】同シャッターの縦断面図である。
【図３】同シャッターの横断面図である。
【図４】土間仕上げ調整部品を示す図で、（ａ）は斜視図、（ｂ）は平面図である。
【図５】縦枠を示す図で、（ａ）は平面図、（ｂ）は内側面図である。
【図６】錠機構を概略的に示す図で、（ａ）は施錠時の状態図、（ｂ）は解錠時の状態図である。
【図７】ガイドレールにおける錠バー部材の係止孔を示す部分的切断斜視図である。
【図８】ガイドレールにおける錠バー部材の係止孔を示す図で、（ａ）は横断面図、（ｂ）は縦断面図である。
【符号の説明】
１  シャッター
５  縦枠
６  シャッター板
７  シャッターボックス
８  ガイドレール
８ｂ  中空部
８ｃ  仕切壁
１４  錠機構
４８  錠バー部材
４９  係止孔
【図１】
0003841664.tif 000002
【図２】
0003841664.tif 000003
【図３】
0003841664.tif 000004
【図４】
0003841664.tif 000005
【図５】
0003841664.tif 000006
【図６】
0003841664.tif 000007
【図７】
0003841664.tif 000008
【図８】
0003841664.tif 000009